(57)【要約】【課題】上蓋の破損を防止でき、使用者や幼児などの安全性を高めることができる洗濯機を提供する。【解決手段】  洗濯機の外箱の上部には、洗濯物投入口１５が設けられた上面板１１が取り付けられている。上面板１１には、洗濯物投入口１５を開閉する屈曲可能な上蓋１６が回動自在に取り付けられている。上蓋１６は、第１上蓋部品と、この第１上蓋部品に回動可能に連結された第２上蓋部品とからなり、上蓋１６を閉じたときに、第１上蓋部品と第２上蓋部品との連結壁部１０５が上面板１１に接触する。【選択図】図８
2007330332.tif 000002
【特許請求の範囲】
【請求項１】
本体と、
本体の上部に取り付けられた上面板と、
上記上面板に設けられ、洗濯物を出し入れするための開口部と、
上記上面板に回動自在に取り付けられ、上記開口部を開閉する屈曲可能な上蓋と
を備え、
上記上蓋は、
第１上蓋部品と、
上記第１上蓋部品に回動可能に連結された第２上蓋部品と
を有し、
上記上蓋を閉じたときに、上記第１上蓋部品と上記第２上蓋部品との連結部が上記上面板に接触または近接することを特徴とする洗濯機。
【請求項２】
請求項１に記載の洗濯機において、
上記上面板には、上記上蓋を閉じたときに上記連結部に接触または近接する凸部が設けられていることを特徴とする洗濯機。
【請求項３】
請求項１に記載の洗濯機において、
上記上面板には、上記上蓋を閉じたときに上記連結部に接触または近接する凹部が設けられていることを特徴とする洗濯機。
【発明の詳細な説明】
【技術分野】
【０００１】
本発明は洗濯機に関する。
【背景技術】
【０００２】
従来、洗濯機としては、洗濯物を出し入れするための開口部が本体の上部に設けられたものがある。この開口部は、本体に回動自在に取り付けられた上蓋で開閉できるようになっている。
【０００３】
上記上蓋としては、例えば特開平８−５７１９１号公報（特許文献１）に記載されている。この特開平８−５７１９１号公報では、上蓋は互いに回動可能に連結された２つの蓋部品で構成されており、一方の蓋部品が洗濯機の本体に回動自在に取り付けられている。
【０００４】
上記構成の上蓋を開く場合、一方の蓋部品を本体に対して回動させると共に、他方の蓋部品を一方の蓋部品に対して回動させることによって、上蓋を屈曲した状態にする。
【０００５】
その結果、上記上蓋の開放状態の高さを低く抑えることができるが、互いに回動可能に連結された２つの蓋部品で上蓋を構成しているため、いわゆる一枚板の上蓋に比べて、強度が弱くなっている。
【０００６】
このため、上記上蓋を閉じて洗濯機を使用中に、使用者が誤って上方から上蓋に力を加えたり、幼児が上蓋に載るなどしたりすると、上蓋が割れて、使用者や幼児が洗濯機内の回転体に接触する事故が起こり得るという問題がある。
【特許文献１】特開平８−５７１９１号公報
【発明の開示】
【発明が解決しようとする課題】
【０００７】
そこで、本発明の課題は、上蓋の破損を防止でき、使用者や幼児などの安全性を高めることができる洗濯機を提供することにある。
【課題を解決するための手段】
【０００８】
上記課題を解決するため、本発明の洗濯機は、
本体と、
本体の上部に取り付けられた上面板と、
上記上面板に設けられ、洗濯物を出し入れするための開口部と、
上記上面板に回動自在に取り付けられ、上記開口部を開閉する屈曲可能な上蓋と
を備え、
上記上蓋は、
第１上蓋部品と、
上記第１上蓋部品に回動可能に連結された第２上蓋部品と
を有し、
上記上蓋を閉じたときに、上記第１上蓋部品と上記第２上蓋部品との連結部が上記上面板に接触または近接することを特徴としている。
【０００９】
上記構成の洗濯機によれば、上記上蓋を閉じたときに、第１上蓋部品と第２上蓋部品との連結部が上面板に接触または近接するので、上方から上蓋に荷重や衝撃が加わると、上面板が連結部を直接支持する。
【００１０】
したがって、上記上蓋の破損を防止でき、使用者や幼児などの安全性を高めることができる。
【００１１】
一実施形態の洗濯機では、
上記上面板には、上記上蓋を閉じたときに上記連結部に接触または近接する凸部が設けられている。
【００１２】
上記実施形態の洗濯機によれば、上記上面板には、上蓋を閉じたときに連結部に接触または近接する凸部が設けられているから、上面板のデザインの自由度を高めることができる。
【００１３】
一実施形態の洗濯機では、
上記上面板には、上記上蓋を閉じたときに上記連結部に接触または近接する凹部が設けられている。
【００１４】
上記実施形態の洗濯機によれば、上記上面板には、上蓋を閉じたときに連結部に接触または近接する凹部が設けられているから、上面板のデザインの自由度を高めることができる。
【発明の効果】
【００１５】
本発明の洗濯機によれば、上蓋を閉じたときに、第１上蓋部品と第２上蓋部品との連結部が上面板に接触または近接することによって、上方から上蓋に荷重や衝撃が加わると、上面板が連結部を直接支持するから、上蓋の破損を防止でき、使用者や幼児などの安全性を高めることができる。
【００１６】
また、上記上蓋は厚さを特に厚くすることなく、また、複雑な補強構造を必要とせず、しないで、また、デザインを損ねることなく、強度を保つことができ、安価でシンプルにできる。
【発明を実施するための最良の形態】
【００１７】
以下、本発明の洗濯機を図示の実施の形態により詳細に説明する。
【００１８】
（第１実施形態）
図１に、第１実施形態の全自動型洗濯機１を水平面に垂直な面で切った概略断面図を示す。
【００１９】
上記洗濯機１は本体の一例としての外箱１０を備える。この外箱１０は直方体形状で、金属または合成樹脂により成型され、その上部と底部は開口部になっている。上記外箱１０の上部開口部には合成樹脂製の上面板１１が重ねられ、外箱１０にネジで固定されている。図１においては、洗濯機１の左側の面が洗濯機１の前面（正面）、洗濯機１の右側の面が後面（背面）であり、後面側に位置する上面板１１の上面に同じく合成樹脂製のバックパネル１２が重ねられ、外箱１０または上面板１１にネジで固定されている。上記外箱１０の底部開口部には合成樹脂製のベース１３が重ねられ、外箱１０にネジで固定されている。これまで述べてきたネジはいずれも図示しない。
【００２０】
上記ベース１３の４隅には外箱１０を床の上に支えるための脚部１４ａ，１４ｂが設けられている。後面側の脚部１４ｂはベース１３に組み立てられた固定脚である。前面側の脚部１４ａは高さ可変のネジ脚であり、これを回して洗濯機１のレベル出しを行う。
【００２１】
上記外箱１０の内部には、外側に水槽２０、内側に脱水槽を兼ねる洗濯槽３０が配置されている。つまり、上記外箱１０内に水槽２０が配置され、この水槽２０内に洗濯槽３０が配置されている。上記水槽２０も洗濯槽３０も上部が開口した円筒形のカップの形状を呈しており、各々軸線が垂直になっている。また、上記水槽２０の軸線は洗濯槽３０の軸線に略重なっている。上記水槽２０はサスペンション部材２１で吊り下げられている。上記サスペンション部材２１は水槽２０の外面下部と外箱１０の内面コーナー部を連結する形で計４箇所に配備され、水槽２０を水平面内で揺動できるように支持する。
【００２２】
上記洗濯槽３０は上方に向かい緩やかなテーパで広がる周壁を有する。この周壁には、その最上部に環状に配置した複数個の脱水穴３１を除き、液体を通すための開口部はない。すなわち、上記洗濯槽３０はいわゆる穴無しタイプの洗濯槽である。上記洗濯槽３０の上部開口部の縁には、洗濯物の脱水のため洗濯槽３０を高速回転させるときに振動を抑制する働きをする環状のバランサー３２が装着されている。上記洗濯槽３０の内部底面には槽内で洗濯水の流動を生じさせるためのパルセータ３３が配置されている。
【００２３】
上記水槽２０の下面には駆動ユニット４０が装着されている。この駆動ユニット４０はモータ４１、クラッチ機構４２およびブレーキ機構４３を含み、その中心部から脱水軸４４とパルセータ軸４５を上向きに突出させている。上記脱水軸４４とパルセータ軸４５は脱水軸４４を外側、パルセータ軸４５を内側とする２重構造を構成しており、脱水軸４４は、水槽２０の中に入り込んだ後、洗濯槽３０に連結されてこれを支える。上記脱水軸４４と水槽２０との間、および、脱水軸４４とパルセータ軸４５との間には、図示しないが、各々水漏れを防ぐためのシール部材（図示せず）が配置されている。
【００２４】
上記水槽２０の底部には、水槽２０および洗濯槽３０の中の水を外箱１０の外に排水するための排水ホース６０が配水管６１および配水管６２を介して取り付けられている。この排水ホース６０には配水管６１および配水管６２から水が流れ込む。上記配水管６１は水槽２０の底面外周寄りの箇所に接続されている。また、上記配水管６２は水槽２０の底面中心寄りの箇所に接続されている。
【００２５】
上記水槽２０の内部底面には配水管６２の接続箇所を内側に囲い込むように環状の隔壁６３が固定されている。この隔壁６３の上部には環状のシール部材６４が取り付けられる。このシール部材６４が洗濯槽３０の底部外面に固定したディスク６５の外周面に接触することにより、水槽２０と洗濯槽３０との間に独立した排水空間６６が形成されている。この排水空間６６は、洗濯槽３０の底部に設けた排水口６４を介して洗濯槽３０の内部に連通する。
【００２６】
上記排水管６２には電磁的に開閉する排水弁６８が設けられている。上記配水管６２の排水弁６８の上流側にあたる箇所にはエアトラップ６９が設けられている。このエアトラップ６９には導圧管７０の下端が接続されている。また、上記導圧管７０の上端には水位スイッチ７１が接続されている。
【００２７】
上記外箱１０の前面側の上部には制御部８０が配置されている。より詳しくは、上記制御部８０は上面板１１の下面側に配置されており、上面板１１の上面に設けられた操作／表示部８１を通じて使用者からの操作指令を受け、駆動ユニット４０、給水弁５０および排水弁６８に動作指令を発する。また、上記制御部８０は操作／表示部８１に表示指令を発する。
【００２８】
上記上面板１１には洗濯物を出し入れするための洗濯物投入口１５が設けられている。この洗濯物投入口１５は屈曲可能な上蓋１６で開閉される。この上蓋１６の後面側の端部は、上面板１１にヒンジ部１７で結合され、ヒンジ部１７を中心に回動可能となっている。なお、上記洗濯物投入口１５が開口部の一例である。
【００２９】
図２に、上記洗濯機１を上方から見た概略図を示す。
【００３０】
上記上蓋１６は、閉鎖状態時に後面側に位置する第１上蓋部品１６ａと、この第１上蓋部品１６ａに回動可能に連結され、閉鎖状態時に前面側に位置する第２上蓋部品１６ｂとから成っている。この上蓋１６は折り曲げて開放状態にする。より詳しくは、上記上蓋１６を閉鎖状態から開放状態にする場合、第２上蓋部品１６ｂをヒンジ部１７を中心に回動させると共に、第１蓋部品１６ａを第２上蓋部品１６ｂに対して回動させることにより、上蓋１６は開放状態となる。このとき、上記第１蓋部品１６ａの下面が第２上蓋部品１６ｂの下面に対向し、第１蓋部品１６ａが第２上蓋部品１６ｂに重なる。なお、上記第１蓋部品１６ａの下面および第２上蓋部品１６ｂの下面とは、上蓋１６の閉鎖状態時に水槽２０に対向する面、つまり、内部に向く面のことである。
【００３１】
図３Ａに、上記第１蓋部品１６ａを上方から見た概略図を示す。
【００３２】
上記第１蓋部品１６ａの上面には、使用者が握る取っ手部となる凹部１５０が形成されている。
【００３３】
図３Ｂに、上記第１蓋部品１６ａを後面側から見た概略図を示す。なお、図３Ｂにおいては、第１蓋部品１６ａの上面は下側を向き、第１蓋部品１６ａの下面は上側を向いている。また、上記第１蓋部品１６ａの上面とは、上蓋１６の閉鎖状態時に水槽２０に対向しない面、つまり、外部に向く面のことである。
【００３４】
また、図３Ｃに、上記第１蓋部品１６ａを側方から見た概略図を示す。なお、図３Ｃにおいては、第１蓋部品１６ａの後部が上側に位置し、第１蓋部品１６ａの前部が下側に位置している。また、図３Ｃにおいては、第１連結壁部１０６の図示を省略している。
【００３５】
図３Ｂ，図３Ｃに示すように、上記第１上蓋部品１６ａの後部には、後面壁部として第１連結壁部１０６が設けられている。この第１連結壁部１０６には、軸穴１０１を有する軸挿入部１０２が連なっている。この軸挿入部１０２の一部は第１連結壁部１０６の下縁から内下方に向かって突出している。また、上記軸挿入部１０２の数は本実施形態では６個としているが、６個に限定される訳ではない。
【００３６】
図３Ｂの１０９は第１上蓋部品１６ａの端部である。
【００３７】
図４Ａに、上記第２蓋部品１６ｂを上方から見た概略図を示す。また、図４Ｂに、上記第２蓋部品１６ｂを前面側から見た概略図を示す。なお、図４Ｂにおいては、第２蓋部品１６ｂの上面は上側を向き、第２蓋部品１６ｂの下面は下側を向いている。また、上記第２蓋部品１６ｂの上面とは、上蓋１６の閉鎖状態時に水槽２０に対向しない面、つまり、外部に向く面のことである。
【００３８】
図４Ａ，図４Ｂに示すように、上記第２上蓋部品１６ｂの前部には、前面壁部として第２連結壁部１０７が設けられている。この第２連結壁部１０７には、軸突起１０３を有する軸部１０４が連なっている。この軸部１０４は、第２連結壁部１０７の下縁から外方（前方）突出している。また、上記軸部１０４の数は軸挿入部１０２の数と同数の６個としている。
【００３９】
図４Ｂの１１０は第２上蓋部品１６ｂの端部である。
【００４０】
図４Ｃに、上記第２蓋部品１６ｂを側方から見た概略図を示す。なお、図４Ｃにおいては、第２蓋部品１６ｂの後部が上側に位置し、第２蓋部品１６ｂの前部が下側に位置している。
【００４１】
上記軸部１０４の形状は側方視でＬ字形状となっている。これにより、上記軸部１０４は第２上蓋部品１６ｂの端部１１０に比べて強固になっている。
【００４２】
上記構成の上蓋１６によれば、軸挿入部１０２の軸穴１０１に軸部１０４の軸突起１０３をそれぞれ挿入することにより、第１上蓋部品１６ａと第２上蓋部品１６ｂが、軸突起１０３を中心として回動可能に連結される。
【００４３】
図８は図２のＡ−Ａ線から見た概略断面図であり、１０５は連結部の一例としての連結壁部、１０８は上蓋１６の端部である。なお、上記上蓋１６は左右対称であり、図８においては左半分のみ示す。
【００４４】
上記連結壁部１０５は、第１連結壁部１０６と第２連結壁部１０７とで構成されている。また、上記上蓋１６の端部１０８は第１上蓋部品１６ａの端部１０９と第２上蓋部品１６ｂの端部１１０とで構成されている。
【００４５】
上記構成の洗濯機１によれば、上記連結壁部１０５は、壁が高く、かつＬ型構造を有するので、上蓋の端部１０８（第１上蓋部品１６ａの端部１０９および第２上蓋部品１６ｂの端部１１０）に比較して強固なものである。
【００４６】
また、上記上蓋１６を閉じたときに、連結壁部１０５が上面板より詳しくは洗濯物投入口１５の開口縁部に接触するので、上方から上蓋１６に例えば衝撃Ｐが加わると、連結壁部１０５が洗濯物投入口１５の開口縁部に当接する。つまり、上記連結壁部１０５が洗濯物投入口１５の開口縁部で直接支持される。
【００４７】
上述したように、上記連結壁部１０５は強固であるため、衝撃Ｐによって洗濯物投入口１５の開口縁部に当接しても、簡単に破損することはない。
【００４８】
したがって、上記上蓋１６の厚さを特に厚くすることなく、また、上蓋１６に複雑な補強構造を形成することなく、また、上蓋１６のデザインを損ねることなく、上蓋１６の強度を高めることができ、上蓋１６の価格を下げることができ、さらに、上蓋１６の構造をシンプルにすることができる。
【００４９】
また、上記上蓋１６の強度を高めることができるので、使用者や幼児などの安全性を高めることができる。
【００５０】
図７は従来の上蓋４１６の概略断面図であり、４０５は上蓋１６の連結壁部、４０８は上蓋１６の端部、４１１は上面板、４１５は洗濯物投入口である。
【００５１】
上記上蓋４１６は略平らであり、上蓋４１６を閉じても、連結壁部４１５は洗濯物投入口４１５の開口縁部に全く接触していない。
【００５２】
したがって、上記上蓋４１６を閉じて洗濯機を使用中に、使用者が誤って上蓋４１６の上から力を加えたり、幼児が上蓋４１６に載ったりすると、上記連結壁部４０５が洗濯物投入口４１５の開口縁部で直接支持されないため、上蓋４１６が割れて、使用者または幼児が洗濯機内部の回転体に接触して事故が起こり得る。
【００５３】
また、上記上蓋４１６に上から荷重や例えば衝撃Ｐが加わったとき、上蓋４１６がたわみ、負荷が上蓋４１６の端部４０８にかかる。この上蓋４１６の端部４０８は強度が弱いため、上蓋４１６の破損を防ぐためには、上蓋４１６の厚さを厚くしたり、補強のリブを上蓋４１６の裏面に設けたりするなどの対策をとる必要があった。特に、後者については、上蓋４１６は外観部品であり、上蓋４１６の裏面といえどもデザイン上の制約もあって、上蓋４１６の強度を効果的に上げるリブを設けることは困難である。
【００５４】
上記第１実施形態では、上蓋１６を閉じたときに、連結壁部１０５が洗濯物投入口１５の開口縁部に接触するようにしていたが、上蓋１６を閉じたときに、連結壁部１０５が洗濯物投入口１５の開口縁部に近接するようにしてもよい。
【００５５】
（第２実施形態）
本発明の第２実施形態の全自動型洗濯機は上蓋２１６（図９参照）および上面板２１１（図９参照）の形状のみが第１実施形態と異なる。よって、以下では、上記第１実施形態の構成部と同一構成部には、第１実施形態における構成部と同一参照番号を付して説明を省略する。
【００５６】
上記上蓋２１６は、図５Ａ〜図５Ｃに示す第１蓋部品２１６ａと、図６Ａ〜図６Ｃに示す第２蓋部品２１６ｂとで構成されている。
【００５７】
図５Ａは上記第１蓋部品２１６ａを上方から見た概略図である。
【００５８】
図５Ｂは上記第１蓋部品２１６ａを後面側から見た概略図である。なお、図５Ｂにおいては、第１蓋部品２１６ａの上面は下側を向き、第１蓋部品２１６ａの下面は上側を向いている。また、上記第１蓋部品２１６ａの上面とは、上蓋２１６の閉鎖状態時に水槽２０に対向しない面、つまり、外部に向く面のことである。また、上記第１蓋部品２１６ａの下面とは、上蓋２１６の閉鎖状態時に水槽２０に対向する面、つまり、内部に向く面のことである。
【００５９】
図５Ｃは上記第１蓋部品２１６ａを側方から見た概略図である。なお、図５Ｃにおいては、第１蓋部品２１６ａの後部が上側に位置し、第１蓋部品２１６ａの前部が下側に位置している。また、図５Ｃにおいては、第１連結壁部２０６の図示を省略している。
【００６０】
図６Ａは上記第２蓋部品２１６ｂを上方から見た概略図である。
【００６１】
図６Ｂは上記第２蓋部品２１６ｂを前面側から見た概略図である。なお、図６Ｂにおいては、第２蓋部品２１６ｂの上面は上側を向き、第２蓋部品２１６ｂの下面は下側を向いている。また、上記第２蓋部品２１６ｂの上面とは、上蓋２１６の閉鎖状態時に水槽２０に対向しない面、つまり、外部に向く面のことである。また、上記第２蓋部品２１６ｂの下面とは、上蓋２１６の閉鎖状態時に水槽２０に対向する面、つまり、内部に向く面のことである。
【００６２】
図６Ｃは上記第２蓋部品２１６ｂを側方から見た概略図である。なお、図６Ｃにおいては、第２蓋部品２１６ｂの後部が上側に位置し、第２蓋部品２１６ｂの前部が下側に位置している。
【００６３】
図９は上記上蓋２１６の概略断面図であり、２０５は連結部の一例としての連結壁部、２０８は上蓋２１６の端部、２１１は上面板、２１５は洗濯物投入口である。なお、上記上蓋２１６は左右対称であり、図９においては左半分のみ示す。
【００６４】
上記連結壁部２０５は、第１連結壁部２０６と第２連結壁部２０７とで構成されており、上記第１実施形態の連結壁部１０５に比べて、図中左右方向の幅が短くなっている。
【００６５】
上記上蓋２１６の端部２０８は第１上蓋部品２１６ａの端部１０９と第２上蓋部品２１６ｂの端部２１０とで構成されており、上記第１実施形態の端部１０８に比べて、図中左右方向の幅が長くなっている。
【００６６】
上記洗濯物投入口２１５の開口縁部には、上蓋２１６を閉じたときに、連結壁部２０５が近接する凸部２５１が設けられている。
【００６７】
したがって、本実施形態は上記第１実施形態と同様の効果を奏することができる。
【００６８】
また、上記凸部２５１は、洗濯物投入口２１５の内周面を略垂直にするデザインを採用したいときに有用である。
【００６９】
上記第２実施形態では、上蓋２１６を閉じたときに、連結壁部２０５が凸部２５１に近接するようにしていたが、上蓋２１６を閉じたときに、連結壁部２０５が凸部２５１に接触するようにしてもよい。
【００７０】
（第３実施形態）
本発明の第３実施形態の全自動型洗濯機は上蓋３１６（図１０参照）および上面板３１１（図１０参照）の形状のみが第１実施形態と異なる。
【００７１】
図１０は上記上蓋３１６の概略断面図であり、３０５は連結部の一例としての連結壁部、３０８は上蓋３１６の端部、３１１は上面板、３１５は洗濯物投入口である。なお、上記上蓋３１６は左右対称であり、図１０においては左半分のみ示す。
【００７２】
上記連結壁部２０５は、上記第１実施形態の連結壁部１０５に比べて、図中左右方向の幅が長くなっている。
【００７３】
上記上蓋３１６の端部３０８は、上記第１実施形態の端部１０８に比べて、図中左右方向の幅が短くなっている。
【００７４】
上記洗濯物投入口３１５の開口縁部には、上蓋３１６を閉じたときに、連結壁部３０５が接触する凹部３５１が設けられている。ここで、上記凹部１１２の周辺は、上蓋連結壁部３０５が接触しないように形成されている。
【００７５】
したがって、本実施形態は上記第１実施形態と同様の効果を奏することができる。
【００７６】
また、上記凹部３５１は、洗濯物投入口３１５の内周面が水平面に対して傾斜するデザインを採用したいときに有用である。
【００７７】
上記第３実施形態では、上蓋３１６を閉じたときに、連結壁部３０５が凹部３５１に接触するようにしていたが、上蓋３１６を閉じたときに、連結壁部３０５が凹部３５１に近接するようにしてもよい。
【００７８】
以上、本発明の第１〜第３実施形態について説明したが、第１上蓋部品および第２上蓋部品の単独の形状ではなく、第１上蓋部品と第２上蓋部品とを組み合わせた構造により、効果をあげることができる。
【図面の簡単な説明】
【００７９】
【図１】図１は本発明の第１実施形態の全自動型洗濯機の概略断面図である。
【図２】図２は上記第１実施形態の全自動型洗濯機の概略上面図である。
【図３Ａ】図３Ａは上記第１実施形態の全自動型洗濯機の第１蓋部品の概略上面図である。
【図３Ｂ】図３Ｂは上記第１実施形態の全自動型洗濯機の第１蓋部品の概略後面図である。
【図３Ｃ】図３Ｃは上記第１実施形態の全自動型洗濯機の第１蓋部品の概略側面図である。
【図４Ａ】図４Ａは上記第１実施形態の全自動型洗濯機の第２蓋部品の概略上面図である。
【図４Ｂ】図４Ｂは上記第１実施形態の全自動型洗濯機の第２蓋部品の概略前面図である。
【図４Ｃ】図４Ｃは上記第１実施形態の全自動型洗濯機の第２蓋部品の概略側面図である。
【図５Ａ】図５Ａは上記第２実施形態の全自動型洗濯機の第１蓋部品の概略上面図である。
【図５Ｂ】図５Ｂは上記第２実施形態の全自動型洗濯機の第１蓋部品の概略後面図である。
【図５Ｃ】図５Ｃは上記第２実施形態の全自動型洗濯機の第１蓋部品の概略側面図である。
【図６Ａ】図６Ａは上記第２実施形態の全自動型洗濯機の第２蓋部品の概略上面図である。
【図６Ｂ】図６Ｂは上記第２実施形態の全自動型洗濯機の第２蓋部品の概略前面図である。
【図６Ｃ】図６Ｃは上記第２実施形態の全自動型洗濯機の第２蓋部品の概略側面図である。
【図７】図７は従来の全自動型洗濯機の上蓋の概略断面図である。
【図８】図８は図２のＡ−Ａ線の概略断面図である。
【図９】図９は上記第２実施形態の全自動型洗濯機の第２蓋部品の概略断面図である。
【図１０】図１０は第３実施形態の全自動型洗濯機の第２蓋部品の概略断面図である。
【符号の説明】
【００８０】
１  全自動型洗濯機
１１，２１１，３１１  上面板
１５，２１５，３１５  洗濯物投入口
１６，２１６，３１６  上蓋
１０５，２０５，３０５  連結壁部
２５１  凸部
３５１  凹部
【図１】
2007330332.tif 000003
【図２】
2007330332.tif 000004
【図３Ａ】
2007330332.tif 000005
【図３Ｂ】
2007330332.tif 000006
【図３Ｃ】
2007330332.tif 000007
【図４Ａ】
2007330332.tif 000008
【図４Ｂ】
2007330332.tif 000009
【図４Ｃ】
2007330332.tif 000010
【図５Ａ】
2007330332.tif 000011
【図５Ｂ】
2007330332.tif 000012
【図５Ｃ】
2007330332.tif 000013
【図６Ａ】
2007330332.tif 000014
【図６Ｂ】
2007330332.tif 000015
【図６Ｃ】
2007330332.tif 000016
【図７】
2007330332.tif 000017
【図８】
2007330332.tif 000018
【図９】
2007330332.tif 000019
【図１０】
2007330332.tif 000020